(57)【要約】      （修正有）【課題】安全に搬送できるポンプ装置を提供する。【解決手段】ポンプ装置１は、ポンプ１０と、ポンプ１０を駆動する駆動モータ１１とを備え、ポンプ１０の駆動軸１２と駆動モータ１１の出力軸１３とが連結されているポンプ装置１であって、ポンプ１０は、駆動軸１２を中心とする円柱形状を有し、駆動モータ１１は、出力軸１３を中心とする円柱形状を有し、ポンプ１０の外径Ｄｐと駆動モータ１１の外径Ｄｍとが等しい構成を有する。このポンプ装置１は、ポンプ１０及び駆動モータ１１を転がして搬送される。【選択図】図１
2017044103.tif 000002
【特許請求の範囲】
【請求項１】
ポンプと、前記ポンプを駆動する駆動モータとを備え、前記ポンプの駆動軸と前記駆動モータの出力軸とが連結されているポンプ装置であって、
前記ポンプは、前記駆動軸を中心とする円柱形状を有し、
前記駆動モータは、前記出力軸を中心とする円柱形状を有し、
前記ポンプの外径と前記駆動モータの外径とが等しいポンプ装置。
【請求項２】
前記ポンプと前記駆動モータは、前記ポンプの前記駆動軸と前記駆動モータの前記出力軸とを連結した状態で円筒形の筐体に収容されて、前記ポンプの外径と前記駆動モータの外径が等しくされている請求項１に記載のポンプ装置。
【請求項３】
前記ポンプ及び前記駆動モータの外周に、前記駆動軸及び前記出力軸と平行に伸びる溝が形成されている請求項１または２に記載のポンプ装置。
【請求項４】
前記溝が複数形成されている請求項３に記載のポンプ装置。
【請求項５】
前記ポンプ及び前記駆動モータの転動を押さえる押え部材を有する請求項１乃至４のいずれかに記載のポンプ装置。
【請求項６】
請求項１に記載されたポンプ装置を搬送する方法であって、
前記ポンプ及び前記駆動モータを転がして搬送する搬送方法。
【請求項７】
請求項２に記載されたポンプ装置を搬送する方法であって、
前記ポンプの前記駆動軸と前記駆動モータの前記出力軸を連結した状態で転がして搬送する搬送方法。
【請求項８】
請求項３または４に記載されたポンプ装置を搬送する方法であって、
前記ポンプ及び前記駆動モータを転がして設置現場へ搬送し、前記設置現場に形成されたレールと前記溝とを係合させる搬送方法。
【請求項９】
請求項５に記載されたポンプ装置を搬送する方法であって、
前記ポンプ及び前記駆動モータを転がして設置現場へ搬送し、前記押さえ部材によって前記ポンプ及び前記駆動モータの転動を押さえ、前記ポンプ及び前記駆動モータを設置する搬送方法。
【発明の詳細な説明】
【技術分野】
【０００１】
本発明は、ポンプ及び駆動モータを備えるポンプ装置及びその搬送方法に関する。
【背景技術】
【０００２】
従来から、ポンプ及びその駆動モータを備えるポンプ装置が知られている。こうしたポンプ装置においては、ポンプと駆動モータの軸心を一致させることが重要である。一般に、ポンプの径と駆動モータの径とは異なるので、ポンプ装置の設置現場において、単純にポンプと駆動モータを載置するだけだと、ポンプと駆動モータの軸心がずれてしまう。
【０００３】
そこで、従来は、特許文献１に記載されたようなポンプユニットのベースが用いられていた。特許文献１に示すように、設置現場の設置面に接するベースの下面は平面で、ベースの上面はポンプと駆動モータの軸の高さが一致するように、ポンプと駆動モータを保持する高さが調整されている。このベース上に、工場でポンプと駆動モータを配置して、予め軸心を一致させておくことにより、設置現場において、ポンプと駆動モータの軸心を一致させた状態でポンプ装置を設置できる。
【先行技術文献】
【特許文献】
【０００４】
【特許文献１】特開２０１０−１０１２０１
【発明の概要】
【発明が解決しようとする課題】
【０００５】
上記のベースは、ポンプ装置の輸送時に持ち上げたときにねじれが発生し、軸心がずれる場合があった。このため、輸送時には、ポンプと駆動モータのカップリングを外していた。
【０００６】
近年では、ポンプ装置の仕様の多様化や、ユーザからの仕様の指定などが多いことから、ベースを共通化することが困難であり、ポンプ装置の仕様に応じて設計する必要がある。このため、ベースの調整に時間がかかり、納期の遅れにつながるおそれがあった。
そこで、本発明は、安全に搬送できるポンプ装置を提供することを目的とする。
【課題を解決するための手段】
【０００７】
本発明のポンプ装置は、ポンプと、前記ポンプを駆動する駆動モータとを備え、前記ポンプの駆動軸と前記駆動モータの出力軸とが連結されているポンプ装置であって、前記ポンプは、前記駆動軸を中心とする円柱形状を有し、前記駆動モータは、前記出力軸を中心とする円柱形状を有し、前記ポンプの外径と前記駆動モータの外径とが等しい構成を有する。本発明のポンプ装置を搬送する方法は、上記のポンプ装置を前記ポンプ及び前記駆動モータを転がして搬送する方法である。
【０００８】
このようにポンプと駆動モータを円柱形状とすることにより、ポンプ及び駆動モータを転がして搬送することができる。そもそもベースがないので、従来のようにポンプ装置を持ち上げたときにベースが歪むという問題が生じることはない。また、ポンプの外径と駆動モータの外径が等しい構成を有しているので、ポンプと駆動モータを同一平面に設置すれば、ポンプの駆動軸と駆動モータの出力軸の高さが一致するため、軸心合わせを容易に行うことができる。
【０００９】
本発明のポンプ装置において、前記ポンプと前記駆動モータは、前記ポンプの前記駆動軸と前記駆動モータの前記出力軸とを連結した状態で円筒形の筐体に収容されて、前記ポンプの外径と前記駆動モータの外径が等しくされていてもよい。本発明のポンプを搬送する方法は、前記ポンプの前記駆動軸と前記駆動モータの前記出力軸を連結した状態で転がして搬送する方法である。
【００１０】
この構成により、ポンプと駆動モータを連結した状態で搬送することができ、設置現場において、ポンプと駆動モータの軸心合わせを行う手間が省ける。
【００１１】
本発明のポンプ装置において、前記ポンプ及び前記駆動モータの外周に、前記駆動軸及び前記出力軸と平行に伸びる溝が形成されていてもよい。この溝は、複数であってもよい。本発明のポンプを搬送する方法は、前記ポンプ及び前記駆動モータを転がして設置現場へ搬送し、前記設置現場に形成されたレールと前記溝とを係合させる搬送方法である。
【００１２】
このようにポンプ及び駆動モータの外周の溝と設置現場に形成されたレールとを係合させることにより、ポンプ及び駆動モータを適切な位置に設置することができる。ポンプと駆動モータを別々に設置現場に搬入した場合にも、ポンプと駆動モータの軸心合わせを容易に行える。
【００１３】
本発明のポンプ装置において、前記ポンプ及び前記駆動モータの転動を押さえる押え部材を有してもよい。本発明のポンプ装置の搬送方法は、前記ポンプ及び前記駆動モータを転がして設置現場へ搬送し、前記押さえ部材によって前記ポンプ及び前記駆動モータの転動を押さえ、前記ポンプ及び前記駆動モータを設置する搬送方法である。
【００１４】
このようにポンプ及び駆動モータの転動を防止することにより、設置現場にポンプ装置を容易に設置することができる。
【発明の効果】
【００１５】
本発明のポンプ装置は、容易に搬送できると共に、設置現場において軸心合わせを容易に行うことができるという効果を有する。
【図面の簡単な説明】
【００１６】
【図１】（ａ）第１の実施の形態のポンプ装置の構成を示す側面図である。（ｂ）第１の実施の形態のポンプ装置のＢ−Ｂ断面図である。
【図２】（ａ）第２の実施の形態のポンプ装置の構成を示す側面図である。（ｂ）第２の実施の形態のポンプ装置のＢ−Ｂ断面図である。
【図３】（ａ）第３の実施の形態のポンプ装置の構成を示す側面図である。（ｂ）第３の実施の形態のポンプ装置のＢ−Ｂ断面図である。
【図４】従来のポンプ装置の構成を示す図である。
【発明を実施するための形態】
【００１７】
以下、本発明の実施の形態のポンプ装置について図面を参照しながら説明する。
（第１の実施の形態）
図１（ａ）は、第１の実施の形態のポンプ装置１の構成を示す図、図１（ｂ）は、図１（ａ）に示すポンプ装置１のＢ−Ｂ断面を示す図である。ただし、図１（ｂ）では便宜上、Ｂ−Ｂ断面の構成のみならず、Ｂ−Ｂ断面の後方にある構成の符号も付している。図１（ａ）及び図１（ｂ）は、ポンプ装置１を設置現場の基礎２０の上に設置した状態を示している。
【００１８】
ポンプ装置１は、ポンプ１０と駆動モータ１１とを有している。ポンプ１０の駆動軸１２と駆動モータ１１の出力軸１３は、カップリング１４によって連結されている。ポンプ１０は駆動軸１２を中心とする円柱形状を有しており、駆動モータ１１は出力軸１３を中心とする円柱形状を有している。ポンプ１０の外径Ｄｐと駆動モータ１１の外径Ｄｍとは等しい。したがって、ポンプ１０と駆動モータ１１を設置現場の基礎２０の上に置くと、自然と、ポンプ１０の駆動軸１２と駆動モータ１１の出力軸１３の高さが一致する。
【００１９】
ポンプ装置１は、ポンプ１０と駆動モータ１１とを収納する円筒形状の筐体１５を有している。ポンプ１０及び駆動モータ１１の外径Ｄｐ，Ｄｍと筐体１５の内面の径とは一致しており、図１（ｂ）に示すように、ポンプ１０及び駆動モータ１１は筐体１５の中にぴったりと納まっている。この構成により、ポンプ装置１は、円筒形状の筐体１５を転がして搬送することができる。なお、長距離を搬送する際には、フォークリフト等を用いて運搬車両に積載し、運ぶことができる。
【００２０】
ポンプ装置１は、設置現場において転動しないように、押さえ部材１６によって押さえられている。押さえ部材１６は、形鋼（Ｃ形鋼、Ｈ形鋼等）又は鋼管を加工して製造された断面略コの字型の部材であり、ポンプ１０及び駆動モータ１１を上から押さえる。押さえ部材１６は、ボルト１７によって、基礎２０に固定される。
【００２１】
本実施の形態のポンプ装置１は、ポンプ１０の外径Ｄｐと駆動モータ１１の外径Ｄｍが等しくされているため、ポンプ１０及び駆動モータ１１を設置面に設置したときに、ポンプ１０の駆動軸１２と駆動モータ１１の出力軸１３の高さが一致し、現場で容易に軸心合わせを行える。従来は、図４に示すように、ポンプ装置３０は、ポンプ３１の外径Ｄｐと駆動モータ３２の外径Ｄｍは異なっていたため、カップリング３４で連結するために、ベース３５を用いてポンプ３１の駆動軸３２と駆動モータ３２の出力軸３３の高さを揃えていた。しかし、本実施の形態のポンプ装置１によれば、こうしたベース３５を用いなくてもポンプ１０の駆動軸１２と駆動モータ１１の出力軸１３の軸心を合わせることができる。また、実施の形態のポンプ装置１は、ポンプ１０と駆動モータ１１を転がして搬送することができるので、搬送時に自重によって駆動軸１２や出力軸１３が歪むことがない。
【００２２】
（第２の実施の形態）
図２（ａ）は、第２の実施の形態のポンプ装置２の構成を示す図、図２（ｂ）は、図２（ａ）に示すポンプ装置２のＢ−Ｂ断面を示す図である。ただし、図２（ｂ）では、便宜上、Ｂ−Ｂ断面の構成のみならず、Ｂ−Ｂ断面の後方にある構成の符号も付している。図２（ａ）及び図２（ｂ）は、ポンプ装置２を設置現場の基礎２０の上に設置した状態を示している。
【００２３】
第２の実施の形態のポンプ装置２の基本的な構成は、第１の実施の形態のポンプ装置１と同じであるが、ポンプ１０及び駆動モータ１１を収納する筐体を有していない。また、第２の実施の形態のポンプ装置２は、図２（ｂ）に見られるように、ポンプ１０及び駆動モータ１１の外周に駆動軸１２及び出力軸１３と平行な溝１８が形成されている。設置現場の基礎２０には、この溝１８に対応するレール２１が設けられている。レール２１に対して溝１８が係合することにより、ポンプ１０及び駆動モータ１１を位置決めすることができる。これにより、ポンプ１０と駆動モータ１１を別々に転がして設置現場に搬入した場合であっても、レール２１に合うように、ポンプ１０と駆動モータ１１を配置し、レール２１上をポンプ１０と駆動モータ１１をスライドさせることにより、ポンプ１０の駆動軸１２と駆動モータ１１の出力軸１３の軸心合わせを行うことができる。なお、本実施の形態では、溝１８及びレール２１を１本ずつ有する例について説明しているが、溝及びそれに対応するレールは複数あってもよい。
【００２４】
第２実施の形態のポンプ装置２は、第１の実施の形態のポンプ装置１と同様に、現場で容易に軸心合わせを行えると共に、ポンプ１０と駆動モータ１１を転がして搬送することができるので、搬送時に自重によって駆動軸１２や出力軸１３が歪むことがない。
【００２５】
（第３の実施の形態）
図３（ａ）は、第３の実施の形態のポンプ装置３の構成を示す図、図３（ｂ）は、図３（ａ）に示すポンプ装置３のＢ−Ｂ断面を示す図である。ただし、図３（ｂ）では、便宜上、Ｂ−Ｂ断面の構成のみならず、Ｂ−Ｂ断面の後方にある構成の符号も付している。図３（ａ）及び図３（ｂ）は、ポンプ装置３を設置現場の基礎２０の上に設置した状態を示している。
【００２６】
第３の実施の形態のポンプ装置３の基本的な構成は、第１の実施の形態のポンプ装置１の構成と同じであるが、第３の実施の形態のポンプ装置３は、図３（ｂ）に見られるように、ポンプ１０及び駆動モータ１１の外周に駆動軸１２及び出力軸１３と平行な溝１８が形成されている。設置現場の基礎２０には、この溝１８に対応するレール２１が設けられている。レール２１に対して溝１８が係合することにより、ポンプ１０及び駆動モータ１１を位置決めすることができる。
【００２７】
第３実施の形態のポンプ装置３は、第１の実施の形態のポンプ装置１と同様に、現場で容易に軸心合わせを行えると共に、ポンプ１０と駆動モータ１１を転がして搬送することができるので、搬送時に自重によって駆動軸１２や出力軸１３が歪むことがない。
【産業上の利用可能性】
【００２８】
本発明は、ポンプ及び駆動モータを備えるポンプ装置等として有用である。
【符号の説明】
【００２９】
１〜３  ポンプ装置
１０  ポンプ
１１  駆動モータ
１２  駆動軸
１３  出力軸
１４  カップリング
１５  筐体
１６  押さえ部材
１７  ボルト
１８  溝
２０  基礎
２１  レール
【図１】
2017044103.tif 000003
【図２】
2017044103.tif 000004
【図３】
2017044103.tif 000005
【図４】
2017044103.tif 000006